(57)【要約】      （修正有）【課題】スイングされたゴルフクラブヘッドの軌道が正しいものであるかどうかを容易に確認することができる光電センサ式ゴルフ練習装置を提供する。【解決手段】ゴルフボールが配置される床材１と、該床材１に設けられ、かつ床材１上においてスイングされたゴルフクラブのヘッドの軌道を検知する検知手段２と、該検知手段２によるゴルフクラブのヘッドの軌道の検知結果に基づいてゴルフクラブヘッドの軌道が正しい軌道か不正な軌道かによって異なる信号音を出力する信号音出力手段３とを備える。【選択図】図１
0003128918.tif 000002
【実用新案登録請求の範囲】
【請求項１】
ゴルフボールが配置される人工芝マット等の床材と、該床材に設けられ、かつ床材上においてスイングされたゴルフクラブのヘッドの軌道を検知する光電スイッチ等の検知手段と、該検知手段によるゴルフクラブのヘッドの軌道の検知結果に基づいてゴルフクラブヘッドの軌道が正しい軌道か不正な軌道かによって異なる信号音を出力する信号音出力手段とを備えることを特徴とする光電センサ式ゴルフ練習装置。
【請求項２】
前記検知手段は、前記床材の長さ方向沿って２列６個以上に設けられている請求項１に記載の光電センサ式ゴルフ練習装置。
【請求項３】
前記検知手段は、ゴルフクラブのインパクト後の１００ｍｍの範囲内に設けられている請求項１又は請求項２に記載の光電センサ式ゴルフ練習装置。
【請求項４】
前記床材における人の対面位置において練習装置の使用方法を説明する説明看板が設けられている請求項１ないし請求項３のいずれかに記載の光電センサ式ゴルフ練習装置。
【考案の詳細な説明】
【技術分野】
【０００１】  本考案は、ゴルフクラブのスイングの練習装置に関するものである。
【背景技術】
【０００２】  従来からゴルフは、人気のあるスポーツであり、ゴルフのプレーを趣味とする人が多数存在する。このプレーを趣味とする人（以下、プレイヤという）はゴルフ練習場でゴルフボールを打ち、ボールの飛び方により自己のスイング、フォームを確認し飛球線を見てスイングの状態を判断し、その判断に基づいてスイングフォームを矯正するように練習する。【０００３】  しかし、かかるスイングの状態の判断は、プレイヤの感覚的な判断に頼ることが多く、クラブヘッドでボールを捉える時のヘッドの向き（ヘッドのフェースの向き）及びその前後のクラブの軌道を確認することができない。【０００４】  もとより、自己のスイングフォームをビデオで撮影して矯正する装置も存在するが（特許文献１参照）、コストが高くなる上に、ゴルフクラブのヘッドの軌道を正確に把握することは依然として難しいという問題があった。【０００５】
【特許文献１】特開２００２−２６３２３０号公報
【考案の開示】
【考案が解決しようとする課題】
【０００６】  本考案は、上述の問題に鑑みてなされたものであって、スイングされたゴルフクラブヘッドの軌道が正しいものであるかどうかを容易に確認することができる光電センサ式ゴルフ練習装置の提供を課題とする。
【課題を解決するための手段】
【０００７】  本考案は、上記課題を解決するために、ゴルフボールが配置される人工芝マット等の床材と、該床材に設けられ、かつ床材上においてスイングされたゴルフクラブのヘッドの軌道を検知する光電スイッチ等の検知手段と、該検知手段によるゴルフクラブのヘッドの軌道の検知結果に基づいてゴルフクラブヘッドの軌道が正しい軌道か不正な軌道かによって異なる信号音を出力する信号音出力手段とを備えることを特徴とする。【０００８】  これによれば、スイングされたゴルフクラブヘッドの軌道が正しいものであれば、例えば「ピンポン」という信号音が出力される一方、スイングされたゴルフクラブヘッドの軌道が不正なものであれば、例えば「ブー」という信号音が出力されるので、スイングされたゴルフクラブヘッドの軌道が正しいものであるかどうかを容易に確認することができる。【０００９】  また、前記検知手段は、前記床材の長さ方向沿って２列６個以上に設けられているのが好ましい。これによれば、スイングされたゴルフクラブの軌道を効率的に検知することができる。【００１０】  また、前記検知手段は、ゴルフクラブのインパクト後の１００ｍｍの範囲内に設けられているのが好ましい。これによれば、スイングされたゴルフクラブの軌道をより正確に検知することができる。【００１１】  また、前記床材における人の対面位置において練習装置の使用方法を説明する説明看板が設けられているのが好ましい。これによれば、本装置を初めて使用する者でも簡単にゴルフクラブヘッドの軌道が正しいものであるかどうかを容易に確認することができる。
【考案の効果】
【００１２】  本考案によれば、スイングされたゴルフクラブヘッドの軌道が正しいものであれば、例えば「ピンポン」という信号音が出力される一方、スイングされたゴルフクラブヘッドの軌道が不正なものであれば、例えば「ブー」という信号音が出力されるので、スイングされたゴルフクラブヘッドの軌道が正しいものであるかどうかを容易に確認することができる。このため、本装置を使用して練習すれば、難しいスイング理論は特に必要なく、自己の経験を生かせて思いっきり、ゴルフクラブをスイングすることが可能となる。
【考案を実施するための最良の形態】
【００１３】  次に本発明の一実施形態について説明する。【００１４】  図１は、本実施形態に係る光電センサ式ゴルフ練習装置の構成概略図である。【００１５】  本装置は、ゴルフボールが配置される床材（１）と、該床材（１）に設けられ、かつ床材（１）上においてスイングされたゴルフクラブのヘッドの軌道を検知する検知手段（２）と、該検知手段（２）によるゴルフクラブのヘッドの軌道の検知結果に基づいてゴルフクラブヘッドの軌道が正しい軌道か不正な軌道かによって異なる信号音を出力する信号音出力手段（３）とを備える。【００１６】  前記床材（１）は、従来から使用されている人工芝マットであり、中央部よりやや前方位置においてドライバ用のＴアップ位置があり、中央部付近にアイアン用のボール設置位置がある。【００１７】  前記検知手段（２）は、ゴルフボールを配置する床材の人工芝マットの裏面に埋設され、クラブヘッドの走行軌道を検知するために、２列６個以上の複数の光電スイッチからなる。例えば、ＡＡ’、ＢＢ’、ＣＣ’の位置に所定間隔をあけて２列６個に設けられている。【００１８】  前記信号出力手段（３）は、床材（１）の下方に設けられた収納ボックスに設けられており、前記検知手段（２）における光電スイッチの検知結果に基づいて、信号音「ビー」や信号音「ピンポン」を出力するものとなされている。なお、検知手段や信号音出力手段を制御する制御手段も収納ボックスに設けられている。【００１９】  而して、バックスイングでＡＡ’の光電スイッチが検知すれば、信号音出力手段（３）において信号音「ビー」が出力され、ダウンスイングでＢＢ’、ＣＣ’の光電スイッチが検知すれば、信号音出力手段（３）において信号音「ピンポン」が出力される。また、６個の光電スイッチののうち一つも検知しなかった場合には信号音出力手段（３）において信号音「ビー」が出力される。【００２０】  なお、前記床材における人の対面位置において練習装置の使用方法を説明する説明看板が設けられているものとしてもよい。
【図面の簡単な説明】
【００２１】
【図１】本実施形態に係る光電センサ式ゴルフ練習装置の構成概略図である。
【図２】図１の側面拡大図である。
【図３】説明看板の一例を示す図である。
【符号の説明】
【００２２】１・・・床材
２・・・検知手段
３・・・信号音出力手段
【図１】
0003128918.tif 000003
【図２】
0003128918.tif 000004
【図３】
0003128918.tif 000005